(57)【要約】【課題】どのような条件下で測定しても絶縁寿命の正確な推定を可能とする。【解決手段】絶縁特性と湿度との相対関係に基づいて作成された初期特性曲線Ｆａと限界特性曲線Ｆｂを寿命推定の基準曲線として入力する（ステップＳ１１）そして、絶縁寿命推定対象となる電動機に関する各種パラメータの入力に伴い、必要に応じて湿度補正を行った後（ステップＳ１２〜Ｓ１４）、上記基準曲線に基づいて絶縁寿命推定対象となる電動機の絶縁特性とその電動機の相対湿度との特性点を通る現特性曲線を算出し、その現特性曲線と使用年数、汚損速度に基づいて対象電動機の絶縁寿命を推定する（ステップＳ１２〜Ｓ２０）。このような絶縁特性と湿度との相対関係を示す特性曲線を用いた推定方法により、湿度条件が変化しても正確に絶縁寿命を推定することができる。【選択図】    図２
2004177383.tif 000002
【特許請求の範囲】
【請求項１】
電動機の絶縁体の絶縁寿命を推定する絶縁寿命推定方法であって、
電動機絶縁体の初期時における絶縁特性と相対湿度との相関関係に基づく初期特性曲線と、限界時における絶縁特性と相対湿度との相関関係に基づく限界特性曲線を寿命推定の基準曲線として入力し、
上記基準曲線に基づいて絶縁寿命推定対象となる電動機の絶縁特性とその電動機の相対湿度との特性点を通る現特性曲線を算出し、
その現特性曲線と使用年数、汚損速度に基づいて対象電動機の絶縁寿命を推定することを特徴とする電動機の絶縁寿命推定方法。
【請求項２】
対象電動機の温度が電動機設置場所の温度と異なる場合に、温度と飽和蒸気量との相関関係に基づく特性曲線を用いて絶縁体周辺の相対湿度を推定し、上記電動機の相対湿度を上記絶縁体周辺の相対湿度に補正することで絶縁寿命を推定することを特徴とする請求項１記載の電動機の絶縁寿命推定方法。
【請求項３】
上記絶縁特性は、電動機絶縁体の絶縁抵抗であることを特徴とする請求項１または請求項２記載の絶縁寿命推定方法。
【請求項４】
電動機の絶縁体の絶縁寿命を推定する絶縁寿命推定システムであって、
電動機絶縁体の初期時における絶縁特性と相対湿度との相関関係に基づく初期特性曲線と、限界時における絶縁特性と相対湿度との相関関係に基づく限界特性曲線を寿命推定の基準曲線として入力する入力手段と、
この入力手段によって入力された上記基準曲線に基づいて絶縁寿命推定対象となる電動機の絶縁特性とその電動機の相対湿度との特性点を通る現特性曲線を算出する現特性曲線算出手段と、
この現特性曲線算出手段によって得られた現特性曲線と、対象電動機の使用年数、汚損速度に基づいて対象電動機の絶縁寿命を演算する絶縁寿命演算手段と、
この絶縁寿命演算手段によって得られた絶縁寿命の演算結果を出力する出力手段と
を具備したことを特徴とする絶縁寿命推定システム。
【請求項５】
対象電動機の温度と電動機設置場所の温度とを比較する温度比較手段と、
この温度比較手段によって両者の温度差が所定値以上であった場合に、温度と飽和蒸気量との相関関係に基づく特性曲線を用いて絶縁体周辺の相対湿度を推定し、上記電動機の相対湿度を上記絶縁体周辺の相対湿度に補正する湿度補正手段とをさらに備え、
上記湿度補正手段によって得られた上記絶縁体周辺の相対湿度に基づいて絶縁寿命を推定することを特徴とする請求項４記載の電動機の絶縁寿命推定システム。
【請求項６】
上記絶縁特性は、電動機絶縁体の絶縁抵抗であることを特徴とする請求項４または請求項５記載の電動機の絶縁寿命推定システム。
【発明の詳細な説明】
【０００１】
【発明の属する技術分野】
本発明は、例えばエレベータの昇降機に用いられる電動機の絶縁寿命を推定する絶縁寿命推定方法及び絶縁寿命推定システムに関する。
【０００２】
【従来の技術】
一般に、エレベータの昇降機に用いられる電動機は、１０年以上に渡る長期間の継続使用および設置場所の環境等の影響を受け、絶縁特性が徐々に低下してくる。このため、電動機の絶縁劣化により焼損して、昇降機を長時間停止することのないように、絶縁劣化度合いの判定や絶縁寿命を推定し、電動機の機能停止前に絶縁回復処理を施すとか、新品電動機と交換するとかの予防保全的対応に努めなければならない。
【０００３】
ここで、絶縁劣化の判定方法としては、電動機絶縁対の絶縁特性、すなわち、絶縁抵抗、成極指数（ＰＩ値）、誘電正接（ｔａｎδ）、誘電正接の電圧依存性（Δｔａｎδ）、静電容量等を測定することにより、例えば絶縁抵抗であれば、「ＪＩＳ  Ａ  ４３０２」の「昇降機の検査基準」で提示されている「電動機主回路３００Ｖ以下０．２ＭΩ、３００Ｖ以上０．４ＭΩ以上」等を基準にして判定するのが一般的である。
【０００４】
しかし、このような絶縁特性の測定値は、電動機の設置場所の温度・湿度、電動機自体の温度等の環境条件によって大きく異なる。そのため、同じ電動機でありながら、測定日によって測定値が異なることがあり、劣化の判定に苦慮することが多い。通常、絶縁特性は湿度との相関性が高く、例えば絶縁抵抗であれば、湿度が低いと大きく、湿度が高くなると小さくなる。したがって、例えば湿度３０％のときには、その測定値が０．２ＭΩ以上であっても、湿度が７０％とか８０％になれば、０．２ＭΩを下回ってしまう。
【０００５】
なお、従来、電動機などの絶縁寿命を推定する方法として、絶縁破壊抵抗で評価する方法が知られている（例えば特許文献１）。しかし、絶縁破壊抵抗を測定するためには機器の破壊を必要とし、しかも、この特許文献１に開示されている方法では、環境条件、特に絶縁特性と大きく関係する湿度の状態をまったく考慮していないため、絶縁寿命を正確には推定できないなどの問題がある。
【０００６】
【特許文献１】
特開２０００１−３７１６７号公報
【０００７】
【発明が解決しようとする課題】
上述したように、電動機の絶縁特性は、温度、湿度等の環境変化に左右されるため、測定値から絶縁寿命を正確に推定することは難しい。この場合、電動機の温度や湿度を一定にして測定すれば、それも解消されるであろうが、昇降機の点検においては、稼働中の昇降機を停止して限られた時間内での点検作業が必要なため、電動機温度が設置場所温度までさめるまで待つとか、気象条件を選択し、晴れた日または雨の日だけ点検するというようなことは不可能である。
【０００８】
本発明は上記のような点に鑑みなされたもので、どのような条件下で測定しても絶縁寿命を正確に推定することのできる電動機の絶縁寿命推定方法及び絶縁寿命推定システムを提供することを目的とする。
【０００９】
【課題を解決するための手段】
本発明の絶縁体の絶縁寿命推定方法は、電動機絶縁体の初期時における絶縁特性と相対湿度との相関関係に基づく初期特性曲線と、限界時における絶縁特性と相対湿度との相関関係に基づく限界特性曲線を寿命推定の基準曲線として入力し、上記基準曲線に基づいて絶縁寿命推定対象となる電動機の絶縁特性とその電動機の相対湿度との特性点を通る現特性曲線を算出し、その現特性曲線と使用年数、汚損速度に基づいて対象電動機の絶縁寿命を推定することを特徴とするものである。
【００１０】
このような絶縁寿命推定方方法によれば、環境変化として絶縁特性への影響が大きい湿度に着目し、その湿度との相対関係に基づいて作成された初期特性曲線と限界特性曲線が寿命推定の基準曲線として用いられる。そして、この基準曲線に基づいて絶縁寿命推定対象となる電動機の絶縁特性とその電動機の相対湿度との特性点を通る現特性曲線が算出され、その現特性曲線と使用年数、汚損速度に基づいて対象電動機の絶縁寿命が推定される。このように、絶縁特性と湿度との相対関係を示す特性曲線を用いることで、どのような条件下で測定しても絶縁寿命を正確に推定することができる。
【００１１】
また、対象電動機の温度が電動機設置場所の温度と異なる場合に、温度と飽和蒸気量との相関関係に基づく特性曲線を用いて絶縁体周辺の相対湿度を推定し、上記電動機の相対湿度を上記絶縁体周辺の相対湿度に補正することで、絶縁寿命をより正確に推定することができる。
【００１２】
【本発明の実施の形態】
以下、図面を参照して本発明の実施形態について説明する。
【００１３】
本発明は、例えばエレベータの昇降機に用いられる電動機の絶縁寿命を推定するものである。既に述べたように、電動機の絶縁特性は、温度、湿度等の環境変化に左右されるため、正確な絶縁寿命を推定することは難しい。そこで、本発明では、このような環境変化を考慮して電動機の絶縁寿命を正確に推定する方法を提案するものである。
【００１４】
まず、図３乃至図５を参照して本発明における電動機の絶縁寿命推定方法について詳しく説明する。図３は電動機の絶縁体の相対湿度Ｈ（％）と絶縁特性Ａ（ＭΩ）との対応関係を示す図、図４は使用年数Ｎ（年）と定数Ａ０１ｑとの対応関係を示す図、図５は電動機設置場所の汚損速度Ｖと傾きβｎとの対応関係を示す図である。
【００１５】
図３では、電動機絶縁体の初期時（製造時）における絶縁特性と相対湿度との相関関係に基づく初期特性曲線Ｆａと、限界時における絶縁特性と相対湿度との相関関係に基づく限界特性曲線Ｆｂを基準曲線として、絶縁寿命推定対象となる電動機の絶縁特性Ａ１と対象電動機の相対湿度Ｈ１の特性点ＡＨ１を通る対象電動機の現特性曲線Ｆ１および相対湿度Ｈ１における限界特性値Ａｂ１を算出した結果を示している。
【００１６】
なお、本実施形態では、絶縁特性として、一例として絶縁抵抗を用いることにする。これは、絶縁特性を表す各種指標のうち、絶縁抵抗が最も信頼できるからである。絶縁抵抗とは、電動機の固定子（コイル）と対地間との電気抵抗のことである。
【００１７】
初期特性曲線Ｆａは、新品の電動機を用いて、環境実験室等により周囲の湿度を３〜５条件に設定し、それぞれに湿度と絶縁抵抗の関係を調査して作成する。ここで、絶縁特性Ａと相対湿度Ｈには相関関係があり、次式のように近似できる。すなわち、これが初期特性曲線Ｆａの近似式となる。
【００１８】
Ａ＝Ａ０ａ・еβａＨ                              …（１）
ここで、Ａ：絶縁抵抗値
Ａ０ａ：定数
е：２．７１８
βａ：特性曲線Ｆａの傾き
Ｈ：相対湿度
限界特性曲線Ｆｂは、強制的に絶縁劣化させた電動機（使用限界に近い電動機）を用いて、上記新品電動機と同様に、環境実験室等により周囲の湿度を６〜８条件に設定し、それぞれに湿度と絶縁抵抗の関係を調査して作成する。または、フィールドの電動機により測定日を変えて広い湿度範囲にて湿度と絶縁抵抗の関係を調査し作成する。あるいは、フィールドからの引取り品を使って、環境実験室等により湿度を６〜８条件に設定して湿度と絶縁抵抗の関係を調査し作成する。
【００１９】
湿度と絶縁抵抗の関係は、ある程度劣化が進展すると、絶縁抵抗は低湿度域（図中のＱ域）と高湿度域（図中のＳ域）では傾きの異なる曲線となる。すなわち、高湿度域では湿度に対して敏感になり、絶縁抵抗の特性が極端に低くなる。したがって、湿度と絶縁抵抗との関係を示した特性曲線は、図３に示す如くＱ域とＳ域の境で折れ曲がったものとなる。
【００２０】
ここで、上記調査結果および絶縁劣化により焼損を起こした電動機の焼損直前データ等を基にして限界特性曲線Ｆｂを作成する。絶縁特性Ａと相対湿度Ｈには相関関係があり、次式のように近似できる。すなわち、これが限界特性曲線Ｆｂの近似式となる。
【００２１】
Ｑ域  Ａ＝Ａ０ｂｑ・еβｂｑＨ                          …（２）
Ｓ域  Ａ＝Ａ０ｂｓ・еβｂｓＨ                          …（３）
ここで、Ａ０ｂｑ：Ｑ域における定数
Ａ０ｂｓ：Ｓ域における定数
βｂｑ：Ｑ域における特性曲線Ｆｂの傾き
βｂｓ：Ｓ域における特性曲線Ｆｂの傾き
このようにして作成した初期特性曲線Ｆａおよび限界特性曲線Ｆｂを劣化判定の基準曲線とする。
【００２２】
次に、絶縁寿命推定対象の電動機の絶縁特性Ａ１と対象電動機の相対湿度Ｈ１の特性点ＡＨ１を通る対象電動機の現特性曲線Ｆ１および相対湿度Ｈ１における限界特性値Ａｂ１を算出する方法について説明する。
【００２３】
今、図３に示すように、相対湿度Ｈ１の特性点ＡＨ１がＱ域にあるとすると、まず、この特性点ＡＨ１を通り、限界特性曲線Ｆｂに平行な現特性曲線Ｆ１と、その現特性曲線Ｆ１におけるＹ軸切片値の定数Ａ０１ｑを上記式（２）により算出する。また、相対湿度Ｈ１における限界特性値Ａｂ１を上記式（２）より算出する。このときの絶縁特性Ａ１と相対湿度Ｈ１との相関関係は、次式のように表せる。
【００２４】
Ａ１＝Ａ０１ｑ・еβｂｑＨ１                    …（４）
次に、対象電動機の使用年数Ｎを確認し、図４に示すように、使用年数Ｎと現特性曲線Ｆ１の定数Ａ０１ｑとの相関関係に基づく特性曲線Ｆｎａ０の近似式を算出する。
【００２５】
Ａ０１ｑ＝Ａ０１ｎ・еβｎＮ                    …（５）
ここで、Ａ０１ｎ：定数
βｎ：特性曲線Ｆｎａ０の傾き
次に、図５に示すように、式（５）の傾きβｎと対象電動機の設置場所における汚損速度Ｖとの相関関係に基づく特性曲線Ｆｎｖを算出する。
【００２６】
βｎ＝γＶ−βｎ０                              …（６）
ここで、γ：特性曲線Ｆｎｖの傾き
βｎ０：定数
汚損速度とは、絶縁体を劣化させるイオン性物質の堆積速度のことをいう。イオン性物質としては、例えば塩素イオン、硝酸イオン、硫酸イオン等が含まれる。
【００２７】
以上、式（２）、（５）、（６）で示される特性曲線Ｆ１、Ｆｎａ０、Ｆｎｖに基づいて、推定絶縁寿命値Ｎｆを算出する近似式を求めると、式（７）のようになる。また、この推定絶縁寿命値Ｎｆにより、電動機の余寿命Ｎｍを求めることができる。
【００２８】
Ｎｆ＝［１／（γＶ−βｎ０）］ｌｏｇｅ（Ａｂ１／Ａ０１ｎеβｂｑＨ１）…（７）
Ｎｍ＝Ｎｆ−Ｎ                                              …（８）
このように、環境変化、特に絶縁特性への影響が大きい湿度に着目し、電動機絶縁体の初期時における絶縁特性と相対湿度との相関関係に基づく初期特性曲線Ｆａと、限界時における絶縁特性と相対湿度との相関関係に基づく限界特性曲線Ｆｂを劣化判定の基準曲線として用いることで、湿度条件が変化した場合でも、推定対象となる電動機の測定値（絶縁特性値Ａ１）からその電動機の絶縁寿命値Ｎｆとその余寿命Ｎｍを簡単かつ正確に求めることができる。
【００２９】
ところで、上述した電動機の相対湿度Ｈ１は、電動機設置場所の湿度のことであり、電動機絶縁体（コイル）の湿度を直接表したものではない。したがって、例えば電動機温度が電動機設置場所の周囲の温度に比べて高い場合、あるいは、電動機温度が電動機設置場所の周囲の温度に比べて低い場合、さらに、電動機が開放形などにより湿度差が大きくなる場合には、推定寿命の算出に影響が出てしまう。そこで、絶縁寿命をより正確に推定するには、電動機絶縁体周辺の相対湿度を推定する必要がある。
【００３０】
そのためには、まず、図６に示すように、温度Ｔと飽和蒸気量ｍとの対応関係を示す特性曲線Ｆｔｍを求める。このときの特性曲線Ｆｔｍの関係式を式（９）に示す。
【００３１】
Ｈ２＝ｅｘｐ０．０５２７（Ｔ１−Ｔ２）Ｈ１        …（９）
ここで、Ｈ２：絶縁体周辺の湿度（相対湿度）
Ｈ１：電動機設置場所の湿度（相対湿度）
Ｔ１：電動機設置場所の温度
Ｔ２：電動機温度
これにより、電動機の絶縁体周辺の相対湿度Ｈ２を推定し、寿命推定演算に用いる湿度の値をＨ１からＨ２に代えることで、上記同様にして限界特性値Ａｂ１を算出する。そして、この限界特性値Ａｂ１を用いて推定絶縁寿命値Ｎｆを算出する。このように、寿命推定演算に用いる湿度を電動機絶縁体の湿度に補正することで、より正確な絶縁寿命を推定することができる。
【００３２】
次に、上述した絶縁寿命推定方法を実現するためのシステムについて説明する。
【００３３】
図１は本発明の一実施形態に係る電動機の絶縁寿命推定システムの概略構成を示す図である。本システムは、エレベータの昇降機に用いられる電動機を対象として、その電動機の絶縁寿命を推定するものであり、磁気ディスク等の記録媒体に記録されたプログラムによってその動作が制御されるコンピュータによって構成される。
【００３４】
図１に示すように、本実施形態における絶縁寿命推定システム１０は、入力部１１、記憶部１２、制御部１３、出力部１４を備える。入力部１１は、例えばキーボードやマウス、タブレットなどを含む入力デバイスからなり、絶縁寿命の推定に必要な各種データの入力を行う。記憶部１２は、例えばＲＯＭ、ＲＡＭなどを含むメモリデバイスからなり、本発明を実現するためのプログラムの他、絶縁寿命の演算に必要な各種データを記憶する。制御部１３は、マイクロプロセッサ（ＣＰＵ）からなり、記憶部１２に記憶されたプログラムを読み込むことにより、そのプログラムに記述された手順に従って絶縁寿命の算出に関する処理を実行する。出力部１４は、例えば表示デバイスからなり、絶縁寿命の算出結果を出力する。
【００３５】
このような構成において、まず、電動機絶縁体の初期特性曲線Ｆａおよび限界特性曲線Ｆｂの各データを入力部１１により入力して記憶部１２に記憶させておく。そして、絶縁寿命推定対象となる電動機に関する各パラメータとして、絶縁特性値Ａ１、電動機設置場所の温度Ｔ１、相対湿度Ｈ１、電動機温度Ｔ２、使用時間Ｎ、汚損速度Ｖを入力部１１により入力すると、これらのデータが記憶部１２に保持された後、制御部１３によって以下のような手順で絶縁寿命が求められる。
【００３６】
（１）まず、対象電動機の特性値Ａ１と絶縁体周辺湿度Ｈ１の関係点ＡＨａを通り、限界曲線Ｆｂに平行な現特性曲線Ｆ１および相対湿度Ｈ１における限界特性値Ａｂ１を演算する。
（２）次に、使用年数Ｎと現特性曲線Ｆ１のＹ軸切片値の定数Ａ０１ｑとの相関関係に基づく特性曲線Ｆｎａ０を演算する。
（３）次に、特性曲線Ｆｎａ０の傾きβｎと絶縁寿命推定対象の電動機設置場所の汚損速度Ｖとの相関関係に基づく特性曲線Ｆｎｖを演算する。
（４）以上の特性曲線Ｆ１、Ｆｎａ０、Ｆｎｖに基づいて推定絶縁寿命値Ｎｆおよび余寿命Ｎｍを演算する。
【００３７】
ここで、上述した絶縁寿命推定処理について図２を参照してさらに詳しく説明する。
【００３８】
図２は本発明の絶縁寿命推定システムにおける絶縁寿命推定処理の動作を示すフローチャートである。なお、このフローチャートで示される各処理は、図１に示す制御部１３がプログラムを読み込むことにより実行される。
【００３９】
まず、制御部１３は、例えばキーボードなどからなる入力部１１を通じて入力される絶縁寿命の推定に必要な各データを読み込み、これらを記憶部１２に格納する（ステップＳ１１）。絶縁寿命の推定に必要な各データとは、電動機絶縁体の初期特性曲線Ｆａおよび限界特性曲線Ｆｂに関するデータ、そして、絶縁寿命推定対象の電動機に関する各パラメータ値、つまり、絶縁特性値Ａ１、電動機設置場所の温度Ｔ１、相対湿度Ｈ１、電動機温度Ｔ２、使用時間Ｎ、汚損速度Ｖである。
【００４０】
既に説明したように、初期特性曲線Ｆａと限界特性曲線Ｆｂは劣化判定の基準曲線であって、予め実験により求められている。すなわち、初期特性曲線Ｆａは、電動機絶縁体の初期時（製造時）における絶縁特性と相対湿度ととの相関関係を示す特性曲線であって、新品の電動機を用い、実験により湿度条件を変えて作成される。これに対し、限界特性曲線Ｆｂは、限界時における絶縁特性と相対湿度との相関関係を示す特性曲線であって、強制的に絶縁劣化させた電動機を用い、実験により湿度条件を変えて作成される。
【００４１】
なお、このような特性曲線を含む各種データは、入力部１１から直接入力しても良いし、何らかのメモリを介して入力することでも良く、その入力形態については特に限定されるものではない。
【００４２】
次いで、制御部１３は、上記各入力データを記憶部１２から呼び出し（ステップＳ１２）、必要に応じて湿度補正を行った後、寿命推定に必要な相関関係式や、相関関係式からの定数、関係式の傾き等を導出する（ステップＳ１３〜Ｓ２０）。
【００４３】
具体的に説明すると、制御部１３は、まず、電動機設置場所の温度Ｔ１と電動機温度Ｔ２との差から湿度補正の必要性を判断する（ステップＳ１３のＹｅｓ）。この場合、両者の温度差が予め設定された値以上であれば、湿度補正の必要性ありと判断され（ステップＳ１４のＹｅｓ）、上記式（９）で説明したように、温度Ｔと飽和蒸気量ｍとの対応関係を示す特性曲線Ｆｔｍを用いて電動機設置場所の相対湿度Ｈ１に対応した絶縁体周辺の相対湿度Ｈ２への補正処理が施される（ステップＳ１４）。
【００４４】
以下では、説明を簡単にするため、湿度の補正処理なしで相対湿度Ｈ１をそのまま用いるものとして説明する。また、この相対湿度Ｈ１はＱ域に存在するものとするものとして説明する。
【００４５】
ここで、制御部１３は、対象電動機の絶縁特性値Ａ１と電動機設置場所の相対湿度Ｈ１に基づいて、Ａ１、Ｈ１の相関関係式（２）を導出し、図３に示すように相対湿度Ｈ１の特性点ＡＨ１を通り、限界特性曲線Ｆｂに平行な現特性曲線Ｆ１および現特性曲線Ｆ１におけるＹ軸切片値の定数Ａ０１ｑを算出する（ステップＳ１５）。
【００４６】
次に、制御部１３は、対象電動機の使用年数Ｎを確認し、図４に示すように、この使用年数Ｎと現特性曲線Ｆ１の定数Ａ０１ｑとの相関関係式（５）を導出する（ステップＳ１６）。また、制御部１３は、図５に示すように、式（５）の傾きβｎと対象電動機の設置場所における汚損速度Ｖとの相関関係式（６）を導出する（ステップＳ１７）。
【００４７】
このようにして、式（２）、式（５）、式（６）が導出されると、制御部１３はこれらの式で示される特性曲線Ｆ１、Ｆｎａ０、Ｆｎｖに基づいて、寿命推定式である式（７）と式（８）を導出する（ステップＳ１８）。
【００４８】
そして、制御部１３は、設置場所の相対湿度Ｈ１および限界特性値Ａｂ１を呼び出し、式（７）と式（８）に従って絶縁寿命Ｎｆおよび余寿命Ｎｍを算出し（ステップＳ１９）、その算出結果を例えば表示デバイスである出力部１４に出力する（ステップＳ２０）。
【００４９】
なお、上記ステップＳ１３において、電動機設置場所の温度Ｔ１と電動機温度Ｔ２との差が所定値以上あって湿度補正の必要性ありと判断され、上記ステップＳ１４において、相対湿度Ｈ１から相対湿度Ｈ２への補正処理が施された場合には、その補正後の相対湿度Ｈ２の値を用いて上記同様の推定処理が実行されることになる。
【００５０】
また、湿度（相対湿度Ｈ１あるいは補正後の相対湿度Ｈ２）の値が図３に示すＱ域（低湿度域）にある場合を想定して説明したが、そのときの湿度の値がＳ域（高湿度域）にある場合には、上述したＳ域に対応した式（３）を用いることで、上記同様の推定処理により絶縁寿命Ｎｆおよび余寿命Ｎｍを算出することができる。
【００５１】
また、絶縁特性としては絶縁抵抗に限らず、他の特性要素であっても本発明の手法を適用することができ、上記同様に絶縁寿命を正確に推定することができる。
【００５２】
さらに、上記実施形態では、エレベータの昇降機に用いられる巻上機用誘導電動機の絶縁寿命を推定する場合について説明したが、エレベータの昇降機に限らず、他の用途に使用される電動機であっても良い。
【００５３】
要するに、本発明は上記実施形態に限定されるものではなく、実施段階ではその要旨を逸脱しない範囲で種々に変形することが可能である。更に、上記実施形態には種々の段階の発明が含まれており、開示される複数の構成要件における適宜な組み合わせにより種々の発明が抽出され得る。例えば、実施形態で示される全構成要件から幾つかの構成要件が削除されても、「発明が解決しようとする課題」で述べた効果が解決でき、「発明の効果」の欄で述べられている効果が得られる場合には、この構成要件が削除された構成が発明として抽出され得る。
【００５４】
【発明の効果】
以上詳記したように本発明によれば、絶縁特性と湿度との相対関係を示す特性曲線を用いることで、どのような条件下で測定しても、その測定値から電動機の絶縁寿命を正確に推定することができる。したがって、例えばエレベータの昇降機に用いられる電動機であれば、その電動機の劣化によりエレベータとして機能が停止する前に交換等の対策を施すなどの保守管理を効率的に行うことができるものである。
【図面の簡単な説明】
【図１】本発明の一実施形態に係る電動機の絶縁寿命推定システムの概略構成を示す図。
【図２】上記絶縁寿命推定システムにおける絶縁寿命推定処理の動作を示すフローチャート。
【図３】電動機の絶縁体の相対湿度Ｈ（％）と絶縁特性Ａ（ＭΩ）との対応関係を示す図。
【図４】使用年数Ｎ（年）と定数Ａ０１ｑとの対応関係を示す図。
【図５】電動機設置場所の汚損速度Ｖと傾きβｎとの対応関係を示す図。
【図６】温度Ｔと飽和蒸気量ｍとの対応関係を示す図。
【符号の説明】
１０…絶縁寿命推定システム
１１…入力部
１２…記憶部
１３…制御部
１４…出力部
Ｆａ…初期特性曲線
Ｆｂ…限界特性曲線
Ｆ１…現特性曲線
Ｈ１…相対湿度
Ａ  …絶縁特性
【図１】
2004177383.tif 000003
【図２】
2004177383.tif 000004
【図３】
2004177383.tif 000005
【図４】
2004177383.tif 000006
【図５】
2004177383.tif 000007
【図６】
2004177383.tif 000008